(57)【要約】【課題】コネクタとレバー部材との装着に係る作業性を向上させることが可能な、また、小型化を図ることが可能であるとともに、少ない部品点数でパネル部材に係止することが可能なＬＩＦコネクタを提供する。【解決手段】第一コネクタ２２に一対の支点ボス３１と一対の回転装着突起３４とを形成するとともに、レバー部材２４に一対の支点ボスガイド穴５０と一対の支点ボス導入用ガイド溝５４と一対の支点ボス通過部５７と一対の回転装着部５５とを形成する。ＬＩＦコネクタ２１は、第一コネクタ２２、第二コネクタ、及びレバー部材２４の三つの構成部材により構成される。ＬＩＦコネクタ２１は、上記三つの構成部材で係止対象部材に係止可能となる。ＬＩＦコネクタ２１は、レバー部材２４がコネクタホルダの機能を有するように構成される。【選択図】図１
2010238564.tif 000002
【特許請求の範囲】
【請求項１】
一対の支点ボスを設けた第一コネクタハウジングを有する第一コネクタと、
前記一対の支点ボスが差し込まれる一対の支点ボスガイド穴を有して前記第一コネクタハウジングの外側に回転自在に組み付けられるレバー部材と、
該レバー部材の回転操作により前記第一コネクタ側に引き寄せられて該第一コネクタに嵌合する第二コネクタと、
を備えるＬＩＦコネクタにおいて、
前記一対の支点ボスを設けた前記第一コネクタハウジングの各外面に突起を各々形成する一方、
前記レバー部材の内面に、前記一対の支点ボスを前記一対の支点ボスガイド穴に向けて直線的に案内するための一対の支点ボス導入用ガイド溝と、該一対の支点ボス導入用ガイド溝及び前記一対の支点ボスガイド穴の間に配置されて前記一対の支点ボスが乗り越え通過する一対の支点ボス通過部と、前記一対の突起を案内するための一対の突起導入ガイド部とを形成し、
さらに、該一対の突起導入ガイド部を、前記一対の支点ボス導入用ガイド溝に対して一部非平行な部分を有するように形成するとともに、該非平行な部分を、前記一対の支点ボス導入用ガイド溝を移動中の前記一対の支点ボスを中心に前記第一コネクタを所定の角度分だけ回転させる部分として形成する
ことを特徴とするＬＩＦコネクタ。
【請求項２】
請求項１に記載のＬＩＦコネクタにおいて、
前記レバー部材の内面に、前記第一コネクタ及び前記第二コネクタの嵌合後における前記一対の突起を案内するための第二の突起導入ガイド部を形成する
ことを特徴とするＬＩＦコネクタ。
【請求項３】
請求項１又は請求項２に記載のＬＩＦコネクタにおいて、
前記第一コネクタを収容するように、また、嵌合状態にある前記第一コネクタ及び前記第二コネクタを収容するように前記レバー部材を略筒形状に形成するとともに、係止用構造部を有するように前記レバー部材を形成する
ことを特徴とするＬＩＦコネクタ。
【発明の詳細な説明】
【技術分野】
【０００１】
本発明は、多数の端子金具を有する雄雌の多極コネクタを低挿入力（Ｌｏｗ  Ｉｎｓｅｒｔｉｏｎ  Ｆｏｒｃｅ）で嵌合させるＬＩＦ機構を有するＬＩＦコネクタに関する。
【背景技術】
【０００２】
ＬＩＦコネクタに関しては、例えば下記特許文献１に開示されたものが知られている。図９において、下記特許文献１に開示されたＬＩＦコネクタ１は、図示しないパネル部材（例えば車体パネル）に固定されるタイプのものとして構成されている。具体的に、ＬＩＦコネクタ１は、パネル部材に取り付けられる筒形状のコネクタホルダ２と、このコネクタホルダ２に収容固定される第二コネクタ３と、第二コネクタ３がコネクタホルダ２に固定された状態で第二コネクタ３に対して嵌合する第一コネクタ４と、第一コネクタ４に回転可能に設けられ回転操作に伴って第一コネクタ４を第二コネクタ３に嵌合させるレバー部材５とを備えて構成されている。
【０００３】
第一コネクタ４は、第一コネクタハウジング６の一対の外面に支点ボス７をそれぞれ有している。一方、レバー部材５は、第一コネクタハウジング６の一対の外面に対向する一対の壁状となるレバー機能部８と、この一対のレバー機能部８を連結するレバー操作部９とを有している。一対のレバー機能部８には、一対の支点ボス７が差し込まれる支点ボスガイド穴１０が形成されている。レバー部材５は、この全体がコ字状の形状に形成されている。レバー部材５は、この装着の際、及び回転操作の際に、第一コネクタ４のロック部（第二コネクタ３との嵌合時にロック状態になる部分）に干渉しないような大きさに形成されている。
【先行技術文献】
【特許文献】
【０００４】
【特許文献１】特開２００４−１０３５５７号公報
【発明の概要】
【発明が解決しようとする課題】
【０００５】
ところで、上記従来技術にあっては、一対の支点ボス７が突出していることから、第一コネクタ４にレバー部材５を装着する際、一対のレバー機能部８の間隔を無理矢理広げながらこの間に第一コネクタ４を差し込むような格好で作業を行う必要がある。また、レバー部材５を装着する際、このレバー部材５を所定の位置に合わせるようにして装着する必要がある。従って、通常、治具を用いなければ作業性が悪くなってしまうという問題点を有している（仮に治具を用いないとすれば、熟練を要する作業になってしまう）。
【０００６】
また、上記従来技術にあっては、ロック部との干渉を避けるため、レバー部材５が比較的大きく形成されていることから、大型のＬＩＦコネクタ１になってしまうという問題点を有している。
【０００７】
この他、上記従来技術にあっては、ＬＩＦコネクタ１がコネクタホルダ２と第一コネクタ４と第二コネクタ３とレバー部材５の四つの部材から構成されていることから、部品点数が多くなってしまうという問題点を有している。また、部品点数が多いということは、図示しないパネル部材に固定するまでの作業工数が掛かってしまう問題点を有している。
【０００８】
本発明は、上記した事情に鑑みてなされたもので、コネクタとレバー部材との装着に係る作業性を向上させることが可能なＬＩＦコネクタを提供することを課題とする。また、小型化を図ることが可能であるとともに、少ない部品点数でパネル部材に係止することが可能なＬＩＦコネクタを提供することを課題とする。
【課題を解決するための手段】
【０００９】
上記課題を解決するためになされた請求項１記載の本発明のＬＩＦコネクタは、一対の支点ボスを設けた第一コネクタハウジングを有する第一コネクタと、前記一対の支点ボスが差し込まれる一対の支点ボスガイド穴を有して前記第一コネクタハウジングの外側に回転自在に組み付けられるレバー部材と、該レバー部材の回転操作により前記第一コネクタ側に引き寄せられて該第一コネクタに嵌合する第二コネクタと、を備えるＬＩＦコネクタにおいて、前記一対の支点ボスを設けた前記第一コネクタハウジングの各外面に突起を各々形成する一方、前記レバー部材の内面に、前記一対の支点ボスを前記一対の支点ボスガイド穴に向けて直線的に案内するための一対の支点ボス導入用ガイド溝と、該一対の支点ボス導入用ガイド溝及び前記一対の支点ボスガイド穴の間に配置されて前記一対の支点ボスが乗り越え通過する一対の支点ボス通過部と、前記一対の突起を案内するための一対の突起導入ガイド部とを形成し、さらに、該一対の突起導入ガイド部を、前記一対の支点ボス導入用ガイド溝に対して一部非平行な部分を有するように形成するとともに、該非平行な部分を、前記一対の支点ボス導入用ガイド溝を移動中の前記一対の支点ボスを中心に前記第一コネクタを所定の角度分だけ回転させる部分として形成することを特徴としている。
【００１０】
このような特徴を有する本発明によれば、レバー部材に第一コネクタを装着するにあたり、レバー部材の回転操作の中心となる第一コネクタの一対の支点ボスは、レバー部材の一対の支点ボス導入用ガイド溝に案内されて直線的に一対の支点ボスガイド穴に向けて移動する。また、この時、第一コネクタの一対の突起は、レバー部材の一対の突起導入ガイド部に案内される。レバー部材と第一コネクタとの装着作業が進行し、そして、一対の突起導入ガイド部が一対の支点ボス導入用ガイド溝に対し平行な部分から非平行な部分へと変わると、第一コネクタは一対の支点ボスを中心に所定の角度分だけ自動的に回転する。第一コネクタが回転してこの姿勢が変わると、第一コネクタのロック部の位置も変わることになる。第一コネクタの姿勢が変わることで、ロック部とレバー部材との干渉を避けることが可能になる。尚、第一コネクタは、第二コネクタとの嵌合に適した姿勢になる位置にまで回転することが好ましい。
【００１１】
装着作業がさらに進行し、一対の支点ボスが一対の支点ボスガイド穴に差し込まれる直前になると、一対の支点ボスが一対の支点ボス通過部を乗り越えて通過する。これにより、レバー部材はこの時だけ強く押し広げられる（レバー部材は常に押し広げられるのではない）。一対の支点ボスが一対の支点ボスガイド穴に差し込まれると、レバー部材と第一コネクタとの装着作業が完了し、このままの状態で第二コネクタとの嵌合が可能になる。
【００１２】
請求項２記載の本発明のＬＩＦコネクタは、請求項１に記載のＬＩＦコネクタにおいて、前記レバー部材の内面に、前記第一コネクタ及び前記第二コネクタの嵌合後における前記一対の突起を案内するための第二の突起導入ガイド部を形成することを特徴としている。
【００１３】
このような特徴を有する本発明によれば、レバー部材と第一コネクタとの装着作業後、レバー部材を回転操作し第二コネクタを第一コネクタ側に引き寄せてこれらを嵌合させると、第一コネクタの一対の突起は、レバー部材の一対の突起導入ガイド部でなく一対の第二の突起導入ガイド部に案内される。嵌合状態にある第一コネクタ及び第二コネクタは、一対の突起が一対の第二の突起導入ガイド部に案内されることによって不必要な回転が規制される。
【００１４】
請求項３記載の本発明のＬＩＦコネクタは、請求項１又は請求項２に記載のＬＩＦコネクタにおいて、前記第一コネクタを収容するように、また、嵌合状態にある前記第一コネクタ及び前記第二コネクタを収容するように前記レバー部材を略筒形状に形成するとともに、係止用構造部を有するように前記レバー部材を形成することを特徴としている。
【００１５】
このような特徴を有する本発明によれば、レバー部材を介してＬＩＦコネクタは例えばパネル部材等の係止対象部材に係止される。レバー部材が係止対象部材に係止される場合、このレバー部材はコネクタホルダとして機能する。
【発明の効果】
【００１６】
請求項１に記載された本発明によれば、一対の支点ボスと、一対の突起と、一対の支点ボスガイド穴と、一対の支点ボス導入用ガイド溝と、一対の支点ボス通過部と、一対の突起導入ガイド部とを形成することにより、第一コネクタとレバー部材との装着に係る作業を従来よりも容易にすることができるという効果を奏する。本発明によれば、装着作業において治具を用いる必要がなく、結果、装着に係る作業性を従来よりも向上させることができるという効果を奏する。
【００１７】
また、請求項１に記載された本発明によれば、第一コネクタとレバー部材との装着作業の過程において、第一コネクタを所定の角度分だけ自動的に回転させることから、レバー部材を大きく形成しなくとも第一コネクタのロック部との干渉を避けることができるという効果を奏する。従って、本発明によれば、レバー部材の小型化、ひいてはＬＩＦコネクタの小型化を図ることができるという効果を奏する。
【００１８】
請求項２に記載された本発明によれば、第二の突起導入ガイド部を更に形成することにより、嵌合状態にある第一コネクタ及び第二コネクタの不必要な回転を規制することができるという効果を奏する。
【００１９】
請求項３に記載された本発明によれば、レバー部材をコネクタホルダとしても機能させることにより、例えばパネル部材等の係止対象部材に係止する場合のＬＩＦコネクタの構成部材数を従来よりも削減することができるという効果を奏する。従って、本発明によれば、少ない部品点数で係止対象部材に係止することが可能なＬＩＦコネクタを提供することができるという効果を奏する。
【図面の簡単な説明】
【００２０】
【図１】本発明のＬＩＦコネクタを構成する第一コネクタとカバー部材の斜視図である。
【図２】本発明のＬＩＦコネクタを構成する第一コネクタと第二コネクタの斜視図（第二コネクタは模式的な図）である。
【図３】カバー部材の斜視図である。
【図４】カバー部材の断面図である。
【図５】第一コネクタとレバー部材の装着状態における側面図である。
【図６】図５のＡ−Ａ線断面位置での第一コネクタとレバー部材の装着作業を説明する図（（ａ）〜（ｃ）は装着開始〜装着途中の状態を示す図）である。
【図７】図５のＡ−Ａ線断面位置での第一コネクタとレバー部材の装着作業を説明する図（（ａ）〜（ｃ）は装着途中〜装着完了の状態を示す図）である。
【図８】図５のＢ−Ｂ線断面位置での第一コネクタとレバー部材の装着作業を説明する図（（ａ）〜（ｃ）は装着開始〜装着途中の状態を示す図）である。
【図９】従来例のＬＩＦコネクタの分解斜視図である。
【発明を実施するための形態】
【００２１】
ＬＩＦコネクタを構成する第一コネクタには、一対の支点ボスと一対の突起とが形成される。また、ＬＩＦコネクタを構成するレバー部材には、一対の支点ボスガイド穴と一対の支点ボス導入用ガイド溝と一対の支点ボス通過部と一対の突起導入ガイド部とが形成される。ＬＩＦコネクタは、第一コネクタ、第二コネクタ、及びレバー部材の三つの構成部材により構成される。ＬＩＦコネクタは、上記三つの構成部材であっても、例えばパネル部材等の係止対象部材に係止可能な構成を有する。すなわち、レバー部材がコネクタホルダの機能を有するように構成される。
【実施例】
【００２２】
以下、図面を参照しながら実施例を説明する。図１は本発明のＬＩＦコネクタを構成する第一コネクタとカバー部材の斜視図、図２は本発明のＬＩＦコネクタを構成する第一コネクタと第二コネクタの斜視図である。また、図３はカバー部材の斜視図、図４はカバー部材の断面図、図５は第一コネクタとレバー部材の装着状態における側面図、図６〜図８は第一コネクタとレバー部材の装着作業を説明する図である。
【００２３】
図１及び図２において、本発明のＬＩＦコネクタ２１は、特に限定するものでないが本実施例において、図示しない自動車の車体パネル（係止対象部材の一例であるものとする）に係止されるコネクタとしての構成及び構造を有している。ＬＩＦコネクタ２１は、多数の端子金具を設けてなる雄雌の多極コネクタ（後述する第一コネクタ及び第二コネクタ）を低挿入力（Ｌｏｗ  Ｉｎｓｅｒｔｉｏｎ  Ｆｏｒｃｅ）で嵌合させることができる構成及び構造を有している。
【００２４】
ＬＩＦコネクタ２１は、第一コネクタ２２と第二コネクタ２３とレバー部材２４とを備えて構成されている。ＬＩＦコネクタ２１は、三つの部材（部品）によって構成されている。第一コネクタ２２は、レバー部材２４に収容される状態で組み付けられるようになっている。第一コネクタ２２と第二コネクタ２３は、レバー部材２４の回転操作によって嵌合し合うようになっている。第一コネクタ２２と第二コネクタ２３とが嵌合してＬＩＦコネクタ２１が形成されると、このＬＩＦコネクタ２１は上記車体パネルに係止固定されるようになっている。先ず、上記の各構成部材について説明する。
【００２５】
上記第一コネクタ２２は、絶縁性を有する合成樹脂製の第一コネクタハウジング２５と、この第一コネクタハウジング２５に収容される雄型端子金具（図示省略）とを備えて構成されている。雄型端子金具は、電線の端末に設けられており、多数備えられている。第一コネクタ２２は、多数の雄型端子金具を有する多極コネクタとして形成されている。第一コネクタハウジング２５の後部２６からは、特に図示しないが、電線が多数引き出されている。
【００２６】
第一コネクタハウジング２５の前部には、上記嵌合時に第二コネクタ２３が差し込まれるコネクタ嵌合部２７が形成されている。このコネクタ嵌合部２７には、第二コネクタ２３の形状に合わせて開口する開口部２８が形成されている。開口部２８とコネクタ嵌合部２７の奥壁との間には、内部空間２９が形成されている。この内部空間２９には、図示しない雄型端子金具が突出しており、第二コネクタ２３が差し込まれてコネクタ同士の嵌合が行われると、雄型端子金具と第二コネクタ２３の図示しない雌型端子金具とが接触し合い、これらが電気的に接続されるようになっている。
【００２７】
第一コネクタハウジング２５の一対の外面３０には、それぞれ、支点ボス３１と、作用点ボス逃がし溝３２と、仮係止突起逃がし溝３３と、回転装着突起３４（特許請求の範囲に記載した突起に相当）と、仮係止突起３５と、撓み規制凸部３６とが形成されている。また、第一コネクタハウジング２５の上記外面３０とは別の外面３７には、ロック部３８が形成されている。支点ボス３１、仮係止突起逃がし溝３３、回転装着突起３４、仮係止突起３５、及び撓み規制凸部３６は、レバー部材２４に係る部分として、また、作用点ボス逃がし溝３２及びロック部３８は、第二コネクタ２３に係る部分として形成されている。
【００２８】
支点ボス３１は、断面円形状の突起であって、第一コネクタハウジング２５の外面３０における中央付近に配置形成されている。支点ボス３１の先端には、レバー開き防止突起３９及びテーパ４０が形成されている。レバー開き防止突起３９は、ボス軸直交方向に突出するように形成されている。レバー開き防止突起３９は、小さな突起となるように形成されている。
【００２９】
作用点ボス逃がし溝３２は、コネクタ嵌合部２７の開口部２８から支点ボス３１の近傍まで真っ直ぐに切り欠く溝状（スリット状）の形状に形成されている。仮係止突起逃がし溝３３は、第一コネクタ２２とレバー部材２４との仮係止位置（仮係止に関しては後述する）となる位置に配置形成されている。仮係止突起逃がし溝３３は、開口部２８を真っ直ぐ且つ短く細く切り欠くように形成されている。
【００３０】
回転装着突起３４は、ピン状の突起であって、第一コネクタハウジング２５の外面３０における矢印Ｐで示される位置に配置形成されている。矢印Ｐで示される位置は、ロック部３８の近傍であり、支点ボス３１よりも開口部２８側の位置となっている。
【００３１】
仮係止突起３５は、第一コネクタ２２が第二コネクタ２３と嵌合する前に、第一コネクタ２２がレバー部材２４と係止状態を形成する部分であって、仮係止突起逃がし溝３３の隣に配置形成されている。撓み規制凸部３６は、レバー部材２４の後述するアーム部５３の撓みを、撓み不能にする部分として形成されている。撓み規制凸部３６は、仮係止突起逃がし溝３３の略後方に配置形成されている。
【００３２】
上記第二コネクタ２３は、絶縁性を有する合成樹脂製の第二コネクタハウジング４１と、この第二コネクタハウジング４１に収容される雌型端子金具（図示省略）とを備えて構成されている。雌型端子金具は、電線の端末に設けられており、多数備えられている。第二コネクタ２３は、多数の雌型端子金具を有する多極コネクタとして形成されている。第二コネクタハウジング４１の後部からは、特に図示しないが、電線が多数引き出されている。
【００３３】
第二コネクタハウジング４１の一対の外面４２には、それぞれ、作用点ボス４３と、レバー仮係止解除突起４４とが形成されている。作用点ボス４３は、所謂カムであって、断面円形となる突起形状に形成されている。作用点ボス４３は、第二コネクタハウジング４１の外面４２における中央付近に配置形成されている。レバー仮係止解除突起４４は、第一コネクタ２２とレバー部材２４との仮係止位置に合わせて配置形成されている。レバー仮係止解除突起４４は、第一コネクタ２２の仮係止突起逃がし溝３３に差し込まれる突起であって、第一コネクタ２２とレバー部材２４との仮係止状態を解除する部分として形成されている。
【００３４】
第二コネクタハウジング４１の上記外面４２とは別の外面４５には、ロック部４６が形成されている。このロック部４６は、第二コネクタ２３が第一コネクタ２２に嵌合した際にロック状態になるような部分として形成されている。
【００３５】
図１、図３、及び図４において、上記レバー部材２４は、第一コネクタ２２及び第二コネクタ２３を嵌合させるためのレバーとしての機能と、嵌合状態にある第一コネクタ２２及び第二コネクタ２３を上記図示しない車体パネルに係止するためのコネクタホルダとしての機能とを有して、例えば図に示す如くの略筒形状となる形状に形成されている。レバー部材２４は、治具を用いずに第一コネクタ２２の装着をすることができる形状に形成されている。
【００３６】
レバー部材２４は、この前部と後部、及び側部の一部が開口するように形成されている。尚、引用符号４７は上記前部の開口部を示している。また、引用符号４８は上記後部の開口部を示している。また、引用符号４９は上記側部の一部の開口部を示している。
【００３７】
レバー部材２４の開口部４７及びこの近傍には、支点ボスガイド穴５０と、作用点ボスガイド溝５１と、仮係止突起５２と、アーム部５３とが形成されている（これらはそれぞれ一対となるように形成されている）。支点ボスガイド穴５０は、第一コネクタ２２の支点ボス３１の形状及び配置に合わせて形成されている。
【００３８】
支点ボスガイド穴５０の形状についてもう少し具体的に説明すると、支点ボスガイド穴５０は円形の穴として形成されており（図３及び図４参照）、この縁部には、支点ボス３１のレバー開き防止突起３９に対する突起逃がし部（符号省略）と、同じくレバー開き防止突起３９に対する突起係合凹部（符号省略）とが形成されている。突起係合凹部は、支点ボスガイド穴５０の外側の縁部に形成されている。突起係合凹部は、レバー開き防止突起３９が係合する部分として形成されている（レバー開き防止突起３９が係合すると、レバー部材２４はこの開きが防止されるようになっている）。
【００３９】
作用点ボスガイド溝５１は、開口部４７から支点ボスガイド穴５０の近傍まで斜めに切り欠く溝状の形状に形成されている。作用点ボスガイド溝５１は、所謂カム溝として形成されている。作用点ボスガイド溝５１は、レバー部材２４と第一コネクタ２２との仮係止状態において、第一コネクタ２２の作用点ボス逃がし溝３２に作用点ボスガイド溝５１の開口部分が重なるように配置形成されている。
【００４０】
仮係止突起５２は、レバー部材２４と第一コネクタ２２との仮係止状態を形成するための突起であって、第一コネクタ２２の仮係止突起３５を引っ掛けることができる形状に形成されている。アーム部５３は、外側に突出する突起を有する可撓性のアームであって、第一コネクタ２２と第二コネクタ２３との嵌合状態でない時に、第一コネクタ２２の撓み規制凸部３６により撓みが規制され、ＬＩＦコネクタ２１を図示しない車体パネルに係止固定できないようにするための部分として形成されている。
【００４１】
レバー部材２４の開口部４８は、第一コネクタ２２を収容する際の第一コネクタ導入部分として開口形成されている。また、開口部４８は、第一コネクタ２２からのびる電線を引き出すための部分としても形成されている。
【００４２】
このような開口部４８でレバー部材２４の内側には、この部分から支点ボスガイド穴５０に向けて直線的にのびる一対の支点ボス導入用ガイド溝５４と、この一対の支点ボス導入用ガイド溝５４に対して一部非平行な部分を有する一対の回転装着部５５（特許請求の範囲に記載した突起導入ガイド部に相当）と、一対の回転装着部５５の隣に配置形成される一対の嵌合後装着溝５６（特許請求の範囲に記載した第二の突起導入ガイド部に相当）とが形成されている。また、支点ボス導入用ガイド溝５４と支点ボスガイド穴５０との間には、第一コネクタ２２を収容する際に支点ボス３１が乗り越え通過する支点ボス通過部５７が形成されている。
【００４３】
支点ボス導入用ガイド溝５４は、第一コネクタ２２を収容する際に、この第一コネクタ２２の支点ボス３１を案内する部分として形成されている。また、支点ボス導入用ガイド溝５４は、支点ボス３１によってレバー部材２４に拡開変形を生じさせないような部分として形成されている。これに対して支点ボス通過部５７は、支点ボス３１が乗り越えて通過することから、レバー部材２４に一瞬、拡開変形を生じさせる部分として形成されている。支点ボス通過部５７は、支点ボス３１のテーパ４０が当接して摺接するようなテーパ形状に形成されている。支点ボス３１は、スムーズに支点ボス通過部５７を乗り越えて通過し、支点ボスガイド穴５０に差し込まれるようになっている。
【００４４】
回転装着部５５は、第一コネクタ２２を収容する際に、この第一コネクタ２２の回転装着突起３４を案内する部分として形成されている。回転装着部５５は、上記のように支点ボス導入用ガイド溝５４の隣に配置形成されている。回転装着部５５は、開口部４８側から順に、支点ボス導入用ガイド溝５４に平行な部分５５ａと、この平行な部分５５ａに連続する非平行な部分５５ｂと、非平行な部分５５ｂに連続する平行な部分５５ｃとを有して矢印Ｑのようなリブ状の形状（又はこのリブを含めて溝状の形状として見ることもできる）に形成されている。非平行な部分５５ｂは、レバー部材２４に第一コネクタ２２を収容する際に、第一コネクタ２２を所定の角度分だけ自動的に回転させることができる部分として形成されている。平行な部分５５ｃの隣には、この平行な部分５５ｃに平行な溝形状となる嵌合後装着溝５６が配置形成されている。
【００４５】
レバー部材２４の開口部４８の近傍には、上記図示しない車体パネルに対しての係止構造となる係止用構造部５８が複数箇所形成されている。係止用構造部５８は、パネル突き当てフランジ５９とパネル係止アーム６０とを有して構成されている。パネル突き当てフランジ５９とパネル係止アーム６０は、車体パネルを挟み込むような位置に配置形成されている。
【００４６】
パネル突き当てフランジ５９は、車体パネルに対して面接触するようなフランジ形状に形成されている。パネル係止アーム６０は、車体パネルに引っ掛かる係止部分を有している。パネル係止アーム６０は、片持ちのアーム形状に形成されている。パネル係止アーム６０は、これを撓ませると係止状態の解除をすることができるように形成されている。
【００４７】
ここで第一コネクタ２２と第二コネクタ２３とレバー部材２４とに関して補足説明をすると、支点ボス３１、作用点ボス逃がし溝３２、作用点ボス４３、支点ボスガイド穴５０、及び作用点ボスガイド溝５１は、第一コネクタ２２及び第二コネクタ２３を低挿入力（Ｌｏｗ  Ｉｎｓｅｒｔｉｏｎ  Ｆｏｒｃｅ）で嵌合させるためのＬＩＦ機構を構成するようになっている。
【００４８】
上記図示しない車体パネルは、例えば自動車のドアの部分やエンジンルームと車室内との間の部分であって、所定の肉厚に形成されている。また、平坦な面を有する形状に形成されている。車体パネルには、これを貫通するようなパネル貫通孔が形成されている。本発明のＬＩＦコネクタ２１は、上記パネル貫通孔に差し込まれると、この開口縁部に係止固定されるようになっている。
【００４９】
次に、本発明のＬＩＦコネクタ２１の組み付け作業における、第一コネクタ２２とレバー部材２４との装着作業について説明する。
【００５０】
図１及び図６において、先ずレバー部材２４の開口部４８の後方に第一コネクタ２２が配置され、この後にレバー部材２４の内部に第一コネクタ２２が真っ直ぐに差し込まれると、支点ボス３１が支点ボス導入用ガイド溝５４によって支点ボス通過部５７まで真っ直ぐに案内される。そして、支点ボス３１が支点ボス通過部５７を乗り越えて通過すると、支点ボス３１は支点ボスガイド穴５０に差し込まれる。これによって第一コネクタ２２とレバー部材２４との装着が完了するが、本発明のＬＩＦコネクタ２１は上記の装着の過程で次のような特徴を有している。
【００５１】
図１、図５、図６、及び図７において、第一コネクタ２２の回転装着突起３４は、上記の装着の過程でレバー部材２４における回転装着部５５の平行な部分５５ａにより案内される。そして、この後に非平行な部分５５ｂとこれに連続する平行な部分５５ｃにより案内される。回転装着突起３４が非平行な部分５５ｂにより案内されると、第一コネクタ２２は支点ボス３１を中心に所定の角度分だけ回転する（第二コネクタ２３との嵌合に適した姿勢になる位置にまで回転する）。
【００５２】
尚、第一コネクタ２２が回転してこの姿勢が変わると、第一コネクタ２２のロック部３８の位置も変わることから、ロック部３８はレバー部材２４の引用符号６１で示す部分に干渉するようなことはない。
【００５３】
回転装着突起３４が平行な部分５５ｃにより案内されると、第一コネクタ２２は支点ボス３１が支点ボスガイド穴５０に差し込まれるまで上記の姿勢が維持される。第一コネクタ２２とレバー部材２４との装着が完了すると、第一コネクタ２２はこのままの状態で第二コネクタ２３との嵌合が可能な状態になる（詳しい説明は省略するが、第一コネクタ２２とレバー部材２４は、仮係止突起３５及び５２の引っ掛かり合いによって仮係止状態になる。これにより、レバー部材２４は不本意に回転することがない）。
【００５４】
尚、第一コネクタ２２とレバー部材２４との装着作業が進行すると、図８に示すように、第一コネクタ２２の撓み規制凸部３６がカバー部材２４のアーム部５３の裏側で重なり、アーム部５３の撓みは規制される。本発明では、アーム部５３の撓みが規制されると、第一コネクタ２２と第二コネクタ２３との嵌合状態でない時に、ＬＩＦコネクタ２１の図示しない車体パネルへの係止固定が行えないようになっている（アーム部５３の上記外側に突出する突起が車体パネルに当接してもアーム部５３の撓みが規制されることから、これ以上の差し込みができず、結果、係止固定が不能になる）。
【００５５】
続いて、本発明のＬＩＦコネクタ２１の組み付け作業における、第一コネクタ２２と第二コネクタ２３と嵌合作業について説明する。
【００５６】
特に図示しないが、上記の仮係止状態にある第一コネクタ２２のコネクタ嵌合部２７に第二コネクタ２３が差し込まれると、第一コネクタ２２と第二コネクタ２３との嵌合が開始される。第二コネクタ２３がコネクタ嵌合部２７に差し込まれると、第二コネクタ２３のレバー仮係止解除突起４４がレバー部材２４の仮係止突起５２に当接し、仮係止突起５２が押し上げられる。これによって上記仮係止状態が解除され、レバー部材２４の回転操作が可能な状態になる。
【００５７】
レバー部材２４の回転操作が行われると、この回転に伴って上記ＬＩＦ機構が機能し、第二コネクタ２３が第一コネクタ２２側に引き寄せられる。第二コネクタ２３は第一コネクタ２２に嵌合し、これによって本発明のＬＩＦコネクタ２１の一連の組み付けが完了する。
【００５８】
ＬＩＦコネクタ２１の組み付けが完了し、このコネクタ嵌合状態側から図示しない車体パネルのパネル貫通孔にＬＩＦコネクタ２１が差し込まれると、ＬＩＦコネクタ２１はレバー部材２４の係止用構造部５８の機能によって図示しない車体パネルに係止固定される。
【００５９】
以上、図１ないし図８を参照しながら説明してきたように、本発明のＬＩＦコネクタ２１によれば、一対の支点ボス３１と、一対の回転装着突起３４（突起）と、一対の支点ボスガイド穴５０と、一対の支点ボス導入用ガイド溝５４と、一対の支点ボス通過部５７と、一対の回転装着部５５（突起導入ガイド部）とを形成することにより、第一コネクタ２２とレバー部材２４との装着に係る作業を従来よりも容易にすることができる。つまり、装着作業に治具を用いる必要がないことから、装着に係る作業性を従来よりも向上させることができる。
【００６０】
また、本発明のＬＩＦコネクタ２１によれば、第一コネクタ２２とレバー部材２４との装着作業の過程において、第一コネクタ２２を所定の角度分だけ自動的に回転させることから、レバー部材２４を大きく形成しなくとも第一コネクタ２２のロック部３８との干渉を避けることができる。従って、レバー部材２４の小型化、ひいてはＬＩＦコネクタ２１の小型化を図ることができる。
【００６１】
さらに、本発明のＬＩＦコネクタ２１によれば、一つの嵌合後装着溝５６（第二の突起導入ガイド部）を更に形成することにより、嵌合状態にある第一コネクタ２２及び第二コネクタ２３の不必要な回転を規制することができる。
【００６２】
さらにまた、本発明のＬＩＦコネクタ２１によれば、レバー部材２４をコネクタホルダとしても機能させていることから、上記車体パネル等の係止対象部材に係止する場合のＬＩＦコネクタ構成部材数を従来よりも削減することができる。従って、少ない部品点数のＬＩＦコネクタ２１を提供することができる。
【００６３】
本発明は本発明の主旨を変えない範囲で種々変更実施可能なことは勿論である。
【符号の説明】
【００６４】
２１…ＬＩＦコネクタ
２２…第一コネクタ
２３…第二コネクタ
２４…レバー部材
２５…第一コネクタハウジング
２６…後部
２７…コネクタ嵌合部
２８…開口部
２９…内部空間
３０…外面
３１…支点ボス
３２…作用点ボス逃がし溝
３３…仮係止突起逃がし溝
３４…回転装着突起（突起）
３５…仮係止突起
３６…撓み規制凸部
３７…外面
３８…ロック部
３９…レバー開き防止突起
４０…テーパ
４１…第二コネクタハウジング
４２…外面
４３…作用点ボス
４４…レバー仮係止解除突起
４５…外面
４６…ロック部
４７〜４９…開口部
５０…支点ボスガイド穴
５１…作用点ボスガイド溝
５２…仮係止突起
５３…アーム部
５４…支点ボス導入用ガイド溝
５５…回転装着部（突起導入ガイド部）
５５ａ、５５ｃ…平行な部分
５５ｂ…非平行な部分
５６…嵌合後装着溝（第二の突起導入ガイド部）
５７…支点ボス通過部
５８…係止用構造部
５９…パネル突き当てフランジ
６０…パネル係止アーム
６１…部分
【図１】
2010238564.tif 000003
【図２】
2010238564.tif 000004
【図３】
2010238564.tif 000005
【図４】
2010238564.tif 000006
【図５】
2010238564.tif 000007
【図６】
2010238564.tif 000008
【図７】
2010238564.tif 000009
【図８】
2010238564.tif 000010
【図９】
2010238564.tif 000011